(57)【要約】【課題】ラッチ装置をコンパクト化することができ、しかもラッチ装置の製作コストが安価な電気機器収納用箱を提供する。【解決手段】扉１１を閉じると係止片が箱本体１側の係合金具に係止して鎖錠され、扉１１を開く際にはレバー操作により鎖錠を解除するラッチ装置１３を備えた電気機器収納用箱である。ラッチ装置１３が扉１１の側板部１２に取付けられたものであり、かつラッチ装置１３をロックするシリンダ錠１８を、ラッチ装置１３の長手方向の隣接位置に、扉正面向きに備えている。シリンダ錠１８を回転させるとロックプレートが突出し、ラッチ装置１３のレバーの側部に係合してレバーを鎖錠位置でロックする。【選択図】図３
2010090579.tif 000002
【特許請求の範囲】
【請求項１】
扉を閉じると係止片が箱本体側の係合金具に係止して鎖錠され、扉を開く際にはレバー操作により鎖錠を解除するラッチ装置を備えた電気機器収納用箱において、該ラッチ装置は扉の側板部に取付けられたものであり、かつラッチ装置をロックするシリンダ錠を、ラッチ装置の長手方向の隣接位置に、扉正面向きに備えたものであることを特徴とする電気機器収納用箱。
【請求項２】
ラッチ装置の本体の扉取付面側に、シリンダ錠のロックプレートがスライド可能な穴部を設けたことを特徴とする請求項１記載の電気機器収納用箱。
【請求項３】
ラッチ装置の本体の扉取付面側に、シリンダ錠の抜け止め用及び回転規制用の穴部を設けたことを特徴とする請求項２記載の電気機器収納用箱。
【請求項４】
シリンダ錠のロックプレートを、ラッチ装置のレバーの側部に係合させてロックする構造としたことを特徴とする請求項２記載の電気機器収納用箱。
【請求項５】
ラッチ装置の本体の扉取付面側に、シリンダ錠のロックプレートがスライド可能な穴部を覆う穴塞ぎ部材を設けたことを特徴とする請求項２記載の電気機器収納用箱。
【発明の詳細な説明】
【技術分野】
【０００１】
本発明は、ラッチ装置により鎖錠される構造の電気機器収納用箱に関するものである。
【背景技術】
【０００２】
配電盤、分電盤、通信機器用ラック等の電気機器収納用箱は、箱本体の前面に扉を設けたものが普通であり、その鎖錠装置としてラッチ装置が広く用いられている。ラッチ装置は、扉を開く際にはレバー操作を必要とするが、扉を閉じるときにはレバー操作は不要であり、単に扉を箱本体に押し付けるだけで、常に係合方向に付勢されている係止片が動作して鎖錠が行われるものである。
【０００３】
また例えば特許文献１に示されるように、ラッチ装置にはシリンダ錠を組み合わせ、鍵によってシリンダを回転させることによってレバーをロックし、鍵を持たない者が扉を開くことができないようにするのが普通である。
【０００４】
シリンダ錠の取付け構造は次の２種類に大別される。ひとつは、図１に示すようにシリンダ錠１に止め金２を突設し、シリンダ錠１の回転に応じて止め金２を相手部材３の係合溝４等に係合させ、その動きをロックする構造である。
【０００５】
この構造はシリンダ錠１とともに止め金２を回転させる必要があるので、シリンダ錠１の外周に余分のスペースを形成しなければならない。またシリンダ錠１を収納する本体５に外周壁６を形成しなければならない。このために全体が大型化するという問題があった。
【０００６】
また、本体５のシリンダ錠１の組み込み穴部にシリンダ錠１の抜け止め片（ストッパプレート）が入り込む鍔部を形成するため切削作業が必要となったり、組み込み穴部を貫通孔とすれば金型形成上、鍔部の形成は無理なくできるが、最終的に本体５の裏面開口を塞がねばならず、部品点数が増えた、取付け作業が煩雑化するという問題があった。
【０００７】
シリンダ錠の取付け構造の他のひとつは、図２に示すようにシリンダ錠１の下端部にスライド可能なロックプレート７を設け、シリンダ錠１を回転させることによってロックプレート７を突出させて相手部材と係合させ、その動きをロックする構造である。
【０００８】
この構造はシリンダ錠１の下端部にはスペースが必要であるが、シリンダ錠１の外周部には余分なスペースを必要としないので、全体としてコンパクトな構造とすることができる。しかし本体５を鋳造する際に、ロックプレート７のスライド溝の部分は左右両側から金型を引抜く構造としなければならず、複雑な構造の金型が必要となって製作コストが高くなるという問題があった。
【特許文献１】特開２００５−２６９８号公報
【発明の開示】
【発明が解決しようとする課題】
【０００９】
従って本発明の目的は上記した従来の問題点を解決し、ラッチ装置をコンパクト化することができ、しかもラッチ装置の製作コストが安価な電気機器収納用箱を提供することである。
【課題を解決するための手段】
【００１０】
上記の課題を解決するためになされた本発明は、扉を閉じると係止片が箱本体側の係合金具に係止して鎖錠され、扉を開く際にはレバー操作により鎖錠を解除するラッチ装置を備えた電気機器収納用箱において、該ラッチ装置は扉の側板部に取付けられたものであり、かつラッチ装置をロックするシリンダ錠を、ラッチ装置の長手方向の隣接位置に、扉正面向きに備えたものであることを特徴とするものである。
【００１１】
なお請求項２に記載のように、ラッチ装置の本体の扉取付面側に、シリンダ錠のロックプレートがスライド可能な穴部を設けた構造とすることが好ましく、さらに請求項３に記載のように、ラッチ装置の本体の扉取付面側に、シリンダ錠の抜け止め用及び回転規制用の穴部を設けることが好ましい。
【００１２】
また請求項４に記載のように、シリンダ錠のロックプレートを、ラッチ装置のレバーの側部に係合させてロックする構造とすることが好ましい。また請求項５に記載のように、ラッチ装置の本体の扉取付面側に、シリンダ錠のロックプレートがスライド可能な穴部を覆う穴塞ぎ部材を設けることが好ましい。
【発明の効果】
【００１３】
本発明によれば、ラッチ装置の小型化を図ることができ、製作用の金型構造も簡素化することができる。またラッチ装置が扉の側板部に取付けられているにもかかわらず、シリンダ錠を扉正面向きに配置したので、扉のロック操作やアンロック操作を行い易い利点がある。
【発明を実施するための最良の形態】
【００１４】
以下に図面を参照しつつ、本発明の好ましい実施形態を説明する。
図３は実施形態の電気機器収納用箱の外観斜視図、図４はラッチ装置の斜視図、図５はその分解斜視図、図６と図７は断面図である。
【００１５】
図３に示すように、本発明の電気機器収納用箱は箱本体１０と、その前面に蝶番によって支持された扉１１とからなり、扉１１の側板部１２にラッチ装置１３が取り付けられている。
【００１６】
図４、図５に示すように、このラッチ装置１３は鋳造された縦長の本体１４と、本体１４の腕部１５にピン１６によって枢着されたレバー１７と、シリンダ錠１８とを備えている。本体１４はその長手方向の端部にシリンダ錠収納穴１９を備え、その内部にシリンダ錠１８が扉１１の正面向きに収納されている。このシリンダ錠収納穴１９付近の部分の構造については後述する。
【００１７】
レバー１７は表面側の操作部２０と、裏面側の係止片２１とを一体に備えたものであり、ピン１６の周囲に配置されたバネ２２によって常に係止方向に弾発され、図６に示すように箱本体１０に突設された係合金具２３と係合するようになっている。係止金具２３は傾斜面を備えているので、扉１１を閉じると係止片２１が傾斜面によってガイドされて箱本体１０側の係合金具２３に係止して図６の鎖錠状態となる。扉１１を開く際には図７のようにレバー１７を手前側に操作して係止片２１を回転させ、鎖錠を解除する。このようなラッチ装置１３の動作は一般のラッチ装置と同様である。
【００１８】
次に、図８と図９を参照しつつ、シリンダ錠１８とシリンダ錠収納穴１９について説明する。
図８に示すように、シリンダ錠１８は円柱状のロータ２４と、その側面に形成されたスリットを出入りするタンブラー２５及びストッパプレート２６を主要部品としている。タンブラー２５は鍵を挿入するとロータ２４の内部に収納されるが、ストッパプレート２６は抜け止め用の部材であるから、鍵を挿入しても突出したままである。
【００１９】
本発明ではシリンダ錠１８のロータ２４が本体１４のシリンダ錠収納穴１９内に収納される。図９に示すようにシリンダ錠収納穴１９の周壁には突出したタンブラー２５の先端を収納するスロット２７が１８０°回転位置に形成されている。これは施錠位置および開錠位置に対応する。
【００２０】
ロータ２４の底面には偏心位置に突起２８が設けられている。またロータ２４の底面側には、ロックプレート３０が設けられている。ロックプレート３０はシリンダ錠収納穴１９の下部に形成された穴部３１内に収納されている。突起２８はロックプレート３０の長円形の孔３１に嵌合されており、シリンダ錠１８に鍵を挿入してロータ２４を回転させることによって、ロックプレート３０は直線部３２，３３に沿って直線的にスライドする。
【００２１】
ここでロックプレート３０の直線部３２は穴部３１の側壁３４に接触し、ロックプレート３０の直線部３３は扉１１の側板部１２に接触して直線方向のガイドがなされる。そしてロックプレート３０がシリンダ錠１８から離れる方向にスライドすると、図１０に示すようにロックプレート３０の先端部がラッチ装置１３のレバー１７の側部の切欠き３５に係合し、レバー１７を動かないようにロックする。この構造によって、扉１１を閉じた状態で確実にロックすることができる。
【００２２】
なお、シリンダ錠１８のストッパプレート２６はロータ２４から常時突出している。このため、図１１に示すようにシリンダ錠収納穴１９の下部に形成された別の穴部３６にストッパプレート２６を挿入しておけば、シリンダ錠１８の抜け止めとなる。またこの穴部３６を図９のＡーＡ断面図の形状としておけば、ロータ２４の回転に伴ってストッパプレート２６が内壁３７に当たることによって、ロータ２４の回転角度の規制が可能となる。
【００２３】
本発明ではこれらの穴部３１、３６が本体１４の側面３８に開口している。このため、本体１４の鋳造時に穴部成形用の金型を片側から引抜く構造とすればよく、複雑な構造の金型を必要とせず、製作コストを引き下げることができる利点がある。
【００２４】
なお、上記したようにロックプレート３０を扉１１の側板部１２に接触させてスライドさせると、扉１１の側板部１２に疵が付いたり錆の発生につながることが懸念される。しかし図１２に示すように本体１４の側面または扉１１の側板部１２にロックプレート３９がスライドする部分を覆う穴塞ぎ部材４０を設けておくことにより、この懸念を解消することができる。
【００２５】
穴塞ぎ部材４０としては粘着テープを用いることができる。粘着テープは表面に対して垂直方向には強い接着力を発揮するが、表面と平行な方向の剪断力には弱いという特性があるため、粘着面がロックプレート３０に面していてもロックプレート３０の作動に支障が生ずることはない。
【００２６】
以上に説明したように、本発明によればラッチ装置１３の長手方向の側方にシリンダ錠１８を配置したので、小型化を図ることができ、またその金型構造も簡素化することができる。またラッチ装置１３が扉１１の側板部に取付けられているにもかかわらず、シリンダ錠１８を扉正面向きに配置したので、扉１１のロック操作やアンロック操作を行い易い利点がある。
【図面の簡単な説明】
【００２７】
【図１】従来例を示す斜視図である。
【図２】他の従来例を示す斜視図である。
【図３】実施形態の電気機器収納用箱を示す外観斜視図である。
【図４】実施形態のラッチ装置の斜視図である。
【図５】実施形態のラッチ装置の分解斜視図である。
【図６】実施形態のラッチ装置の鎖錠状態を示す断面図である。
【図７】実施形態のラッチ装置の開錠状態を示す断面図である。
【図８】要部を説明するシリンダ錠の斜視図、本体の正面図、側面図及び断面図である。
【図９】要部の分解斜視図である。
【図１０】実施形態のラッチ装置のロック状態を示す斜視図である。
【図１１】シリンダ錠の抜け止めの様子を示すラッチ装置の背面図である。
【図１２】穴塞ぎ部材を貼り付けた状態を示すラッチ装置の背面斜視図である。
【符号の説明】
【００２８】
１  シリンダ錠
２  止め金
３  相手部材
４  係合溝
５  本体
６  外周壁
７  ロックプレート
１０  箱本体
１１  扉
１２  側板部
１３  ラッチ装置
１４  本体
１５  腕部
１６  ピン
１７  レバー
１８  シリンダ錠
１９  シリンダ錠収納穴
２０  操作部
２１  係止片
２２  バネ
２３  係合金具
２４  ロータ
２５  タンブラー
２６  ストッパプレート
２７  スロット
２８  突起
３０  ロックプレート
３１  穴部
３２  直線部
３３  直線部
３４  側壁
３５  切欠き
３６  穴部
３７  内壁
３８  本体の側面
４０  穴塞ぎ部材
【図１】
2010090579.tif 000003
【図２】
2010090579.tif 000004
【図３】
2010090579.tif 000005
【図４】
2010090579.tif 000006
【図５】
2010090579.tif 000007
【図６】
2010090579.tif 000008
【図７】
2010090579.tif 000009
【図８】
2010090579.tif 000010
【図９】
2010090579.tif 000011
【図１０】
2010090579.tif 000012
【図１１】
2010090579.tif 000013
【図１２】
2010090579.tif 000014